【手続補正書】
【提出日】令和1年10月16日(2019.10.16)
【手続補正１】
【補正対象書類名】明細書
【補正対象項目名】００５８
【補正方法】変更
【補正の内容】
【００５８】
特に、（図２Ａから図２Ｄの典型的な実施形態と同様に）少なくとも３つの第１磁石部２１および結果的に少なくとも２つの中間空間２２を有するカスケード式の実施形態において、この構成により次のような利点が得られる。第２クロージャ部３が、第１の中間空間２２−１に第２クロージャ部が収容される第１の閉じ位置から外れて、第２の中間空間２２−２に第２クロージャ部が収容される第２の閉じ位置に移動される場合、この移動は、平行四辺形形状の断面を有する前記磁石部の側面がその形状によって力Ｆを偏向させるので、閉じ方向Ｚとは反対方向に作用する力によってクロージャ装置１を開くことなく、閉じ方向Ｚと垂直な方向に加えられる力Ｆによって達成され得る。したがって、クロージャ装置１は、同様に、一方の方向にはブロックされ、他方の方向には容易に調節することが可能なフリーランニング（Freilauf）として作用する。また、クロージャ装置１の開き動作も特に簡易に行うことが可能である。
以下、本発明に含まれる態様を記す。
〔態様１〕２つの部品を着脱自在に連結するクロージャ装置（１）であって、
− 互いに離間し、かつその間に中間空間（２２）を形成する少なくとも２つの第１磁石部（２１）を有する第１クロージャ部（２）と、
−  少なくとも１つの第２磁石部（３１）を有する第２クロージャ部（３）と、
を備え、
前記第１クロージャ部（２）および前記第２クロージャ部（３）は、前記クロージャ装置（１）が、前記少なくとも１つの第２磁石部（３１）が前記中間空間（２２）に少なくとも部分的に収容される閉じ位置を取るように、閉じ方向（Ｚ）に互いに接するように配置することが可能であり、
前記閉じ位置において、前記閉じ方向（Ｚ）と実質的に垂直な方向を向く吸引磁力（Ｋ１，Ｋ２）が、一方では前記少なくとも１つの第２磁石部（３１）と、他方では前記中間空間（２２）を形成している前記少なくとも２つの第１磁石部（２１）のそれぞれと、の間に作用するクロージャ装置（１）において、
前記第１クロージャ部（２）は少なくとも１つの第１形状結合部（２３）を有し、前記第２クロージャ部（３）は少なくとも１つの第２形状結合部（３３）を有し、前記閉じ位置において、前記少なくとも１つの第１形状結合部（２３）および前記少なくとも１つの第２形状結合部（３３）が、互いに形状結合して、前記クロージャ部（２，３）が前記閉じ方向（Ｚ）と平行に互いに対して相対移動することを防止することを特徴とするクロージャ装置（１）。
〔態様２〕態様１に記載のクロージャ装置（１）において、前記第１クロージャ部（２）が、互いに等間隔で離間した複数の第１磁石部（２１）を有し、各場合において、２つの第１磁石部（２１）がその間に、前記閉じ位置において、前記少なくとも１つの第２磁石部（３１）を少なくとも部分的に収容するように構成された中間空間（２２）を形成していることを特徴とするクロージャ装置（１）。
〔態様３〕２つの部品を着脱自在に連結するクロージャ装置（１）であって、
−  少なくとも１つの第１磁石部（２１）および少なくとも１つの第１形状結合部（２３）を有する第１クロージャ部（２）と、
−  少なくとも１つの第２磁石部（３１）および少なくとも１つの第２形状結合部（３３）を有する第２クロージャ部（３）と、
を備え、
前記第１クロージャ部（２）および前記第２クロージャ部（３）は、前記クロージャ装置（１）が、前記少なくとも１つの第１磁石部（２１）と前記少なくとも１つの第２磁石部（３１）の間に閉じ方向（Ｚ）と実質的に垂直な方向を向く吸引磁力（Ｋ１，Ｋ２）が作用する閉じ位置を取るように、前記閉じ方向（Ｚ）に互いに接するように配置することが可能であり、
さらに、前記閉じ位置において、前記少なくとも１つの第１形状結合部（２３）および前記少なくとも１つの第２形状結合部（３３）は、互いに形状結合によって係合して、前記クロージャ部（２，３）が前記閉じ方向（Ｚ）と平行に互いに対して相対移動することを防止するクロージャ装置（１）において、
前記磁石部（２１，３１）の少なくとも一方は、非矩形状の平行四辺形の形状の断面を有しており、前記第１形状結合部（２３）および／または前記第２形状結合部（３３）は、前記閉じ方向（Ｚ）に対して傾斜して延びる前記磁石部（２１，３１）の面によって形成されていることを特徴とするクロージャ装置（１）。
〔態様４〕態様３に記載のクロージャ装置（１）において、前記磁石部（２１，３１）の少なくとも一方は、断面が非矩形状の平行四辺形の形状である永久磁石（２１１，３１１）を備えることを特徴とするクロージャ装置（１）。
〔態様５〕態様１から４のいずれか一態様に記載のクロージャ装置（１）において、前記クロージャ部（２，３）の少なくとも一方に、少なくとも１つの第１案内部（２４，３４）が設けられており、この第１案内部（２４、３４）は、前記クロージャ部（２，３）が互いに接するように配置されたとき、前記閉じ方向（Ｚ）と垂直な方向への互いに対する前記クロージャ部（２，３）の相対移動（Ｒ２）をプリセットして、前記少なくとも１つの第１形状結合部（２３）および前記少なくとも１つの第２形状結合部（３３）を互いに形状結合によって係合させるように構成されていることを特徴とするクロージャ装置（１）。
〔態様６〕２つの部品を着脱自在に連結するクロージャ装置（１）であって、
−  少なくとも１つの第１磁石部（２１）および少なくとも１つの第１形状結合部（２３）を有する第１クロージャ部（２）と、
−  少なくとも１つの第２磁石部（３１）および少なくとも１つの第２形状結合部（３３）を有する第２クロージャ部（３）と、
を備え、
前記第１クロージャ部（２）および前記第２クロージャ部（３）は、前記クロージャ装置（１）が、前記少なくとも１つの第１磁石部（２１）と前記少なくとも１つの第２磁石部（３１）の間に閉じ方向（Ｚ）と実質的に垂直な方向を向く吸引磁力（Ｋ１，Ｋ２）が作用する閉じ位置を取るように、前記閉じ方向（Ｚ）に互いに接するように配置し、かつ前記閉じ方向（Ｚ）と垂直に適用されるせん断力を加えることが可能であり、
さらに、前記閉じ位置において、前記少なくとも１つの第１形状結合部（２３）および前記少なくとも１つの第２形状結合部（３３）は、互いに形状結合によって係合して、前記クロージャ部（２，３）が前記閉じ方向（Ｚ）と平行に互いに対して相対移動することを防止するクロージャ装置（１）において、
前記クロージャ部（２，３）の少なくとも一方に、少なくとも１つの第１案内部（２４，３４）が設けられており、前記第１案内部（２４、３４）は、前記クロージャ部（２，３）が互いに接するように配置されたとき、前記閉じ方向（Ｚ）と垂直な方向への互いに対する前記クロージャ部（２，３）の相対移動（Ｒ２）をプリセットして、前記少なくとも１つの第１形状結合部（２３）および前記少なくとも１つの第２形状結合部（３３）を互いに形状結合によって係合させるように構成されており、
前記少なくとも１つの第１磁石部（２１）および前記少なくとも１つの第２磁石部（３１）が互いに続けて、かつ前記閉じ位置に移行させるために生じるせん断力が作用する方向と同一線上に配置されていることを特徴とするクロージャ装置（１）。
〔態様７〕態様６に記載のクロージャ装置（１）において、前記磁石部（２１，３１）の少なくとも一方は、非矩形状の平行四辺形の形状の断面を有しており、前記第１形状結合部（２３）および／または前記第２形状結合部（３３）は、前記閉じ方向（Ｚ）に対して傾斜して延びる前記磁石部（２１，３１）の面によって形成されていることを特徴とするクロージャ装置（１）。
〔態様８〕態様５から７のいずれか一態様に記載のクロージャ装置（１）において、前記少なくとも１つの第１案内部（２４，３４）は、前記閉じ方向（Ｚ）に対して傾斜して延びる前記磁石部（２１，３１）の面によって形成されていることを特徴とするクロージャ装置（１）。
〔態様９〕２つの部品を着脱自在に連結するクロージャ装置（１）であって、
−  少なくとも１つの第１磁石部（２１）および少なくとも１つの第１形状結合部（２３）を有する第１クロージャ部（２）と、
−  少なくとも１つの第２磁石部（３１）および少なくとも１つの第２形状結合部（３３
）を有する第２クロージャ部（３）と、
を備え、
前記第１クロージャ部（２）および前記第２クロージャ部（３）は、前記クロージャ装置（１）が、前記少なくとも１つの第１磁石部（２１）と前記少なくとも１つの第２磁石部（３１）の間に閉じ方向（Ｚ）と実質的に垂直な方向を向く吸引磁力（Ｋ１，Ｋ２）が作用する閉じ位置を取るように、前記閉じ方向（Ｚ）に互いに接するように配置することが可能であり、
さらに、前記閉じ位置において、前記少なくとも１つの第１形状結合部（２３）および前記少なくとも１つの第２形状結合部（３３）は、互いに形状結合によって係合して、前記クロージャ部（２，３）が前記閉じ方向（Ｚ）と平行に互いに対して相対移動することを防止するクロージャ装置（１）において、
少なくとも一方のクロージャ部（２，３）に、少なくとも１つの第１案内部（２４，３４）および少なくとも１つの第２案内部（２７，３７）が設けられており、
前記少なくとも１つの第２案内部（２７，３７）は、前記クロージャ部（２，３）が互いに接するように配置されたとき、前記閉じ方向（Ｚ）と垂直な方向への互いに対する前記クロージャ部（２，３）の第１の相対移動（Ｒ１）をプリセットして、それぞれの他方のクロージャ部（３，２）を前記少なくとも１つの第１案内部（２４，３４）と接触させるように構成されており、
前記少なくとも１つの第１案内部（２４，３４）は、前記クロージャ部（２，３）が互いに接するように配置されたとき、前記閉じ方向（Ｚ）と垂直な方向への互いに対する前記クロージャ部（２，３）の第２の相対移動（Ｒ２）をプリセットして、前記少なくとも１つの第１形状結合部（２３）および前記少なくとも１つの第２形状結合部（３３）を互いに形状結合によって係合させるように構成されていることを特徴とするクロージャ装置（１）。
〔態様１０〕態様５から９のいずれか一態様に記載のクロージャ装置（１）において、前記少なくとも１つの第１案内部（２４，３４）は、前記閉じ方向（Ｚ）に対して傾斜して延びる少なくとも１つの第１案内面（２４１，３４１）を備え、および／または前記少なくとも１つの第２案内部（２７，３７）は、前記閉じ方向（Ｚ）に対して傾斜して延びる少なくとも１つの第２案内面（２７１，３７１）を備えることを特徴とするクロージャ装置（１）。
〔態様１１〕態様１０に記載のクロージャ装置（１）において、それぞれの他方のクロージャ部（３，２）は、前記第１案内面（２４１，３４１）の上をスライドする少なくとも１つの第１接触部（３５，２５）、および／または前記第２案内面（２７１，３７１）の上をスライドする少なくとも１つの第２接触部（３６，２６）を有することを特徴とするクロージャ装置（１）。
〔態様１２〕態様１から１１のいずれか一態様に記載のクロージャ装置（１）において、前記少なくとも１つの第１形状結合部（２３）および／または前記少なくとも１つの第２形状結合部（３３）は、前記閉じ方向（Ｚ）に対して傾斜して延びる形状結合面（２３１，３３１）を有することを特徴とするクロージャ装置（１）。
〔態様１３〕態様１から１２のいずれか一態様に記載のクロージャ装置（１）において、前記少なくとも１つの第１形状結合部（２３）および／または前記少なくとも１つの第２形状結合部（３３）は、それぞれの前記クロージャ部（２，３）におけるアンダーカットによって形成されていることを特徴とするクロージャ装置（１）。
〔態様１４〕態様１３に記載のクロージャ装置（１）において、それぞれの前記クロージャ部（２，３）におけるアンダーカットによって形成された前記第１形状結合部（２３）および／または前記第２形状結合部（３３）は、前記閉じ方向（Ｚ）に対して実質的に垂直に延びる少なくとも１つの形状結合面を有することを特徴とするクロージャ装置（１）。
〔態様１５〕態様１から３のいずれか一態様に記載のクロージャ装置（１）において、前記少なくとも１つの第１磁石部（２１）が、第１磁化方向（Ｍ１）に磁化された少なくとも１つの第１永久磁石（２１１）を備え、かつ前記少なくとも１つの第２磁石部（３１）が、第２磁化方向（Ｍ２）に磁化された少なくとも１つの第２永久磁石（３１１）を備えることを特徴とするクロージャ装置（１）。
〔態様１６〕態様１５に記載のクロージャ装置（１）において、前記クロージャ装置（１）の前記閉じ位置において、前記少なくとも１つの第１磁石部（２１）および前記少なくとも１つの第２磁石部（３１）は、前記第１磁化方向（Ｍ１）および前記第２磁化方向（Ｍ２）が互いに平行、かつ前記閉じ方向（Ｚ）と実質的に垂直な方向を向くように設けられていることを特徴とするクロージャ装置（１）。
〔態様１７〕態様１６に記載のクロージャ装置（１）において、前記クロージャ装置（１）の前記閉じ位置において、前記少なくとも１つの第１磁石部（２１）および前記少なくとも１つの第２磁石部（３１）は、前記第１磁化方向（Ｍ１）および前記第２磁化方向（Ｍ２）に対して続けて配置されていることを特徴とするクロージャ装置（１）。
〔態様１８〕態様１から１７のいずれか一態様に記載のクロージャ装置（１）において、前記磁石部（２１，３１）の少なくとも一方および／または前記永久磁石（２１１，３１１）の少なくとも一方は、非矩形状の平行四辺形の形状の断面を有することを特徴とするクロージャ装置（１）。
〔態様１９〕態様１から１８のいずれか一態様に記載のクロージャ装置（１）において、前記第１クロージャ部（２）および前記第２クロージャ部（３）は、前記第１永久磁石（２１１）および前記第２永久磁石（３１１）のそれぞれの前記磁化方向（Ｍ１，Ｍ２）は別にして構造的に同じに形成されていることを特徴とするクロージャ装置（１）。
〔態様２０〕態様１から１９のいずれか一態様に記載のクロージャ装置（１）において、前記第２クロージャ部（３）は、互いに等間隔で離間した複数の第２磁石部（３１）を備え、各場合において、２つ第２磁石部（３１）がその間に、前記閉じ位置において、前記少なくとも１つの第１磁石部（２１）を少なくとも部分的に収容するように構成された中間空間（３２）を形成していることを特徴とするクロージャ装置（１）。